(57)【要約】      （修正有）【課題】高画質画像を高い生産性で容易に形成できる画像形成装置を提供する。【解決手段】紫外線硬化型液体の液滴を吐出する液体吐出ヘッドで構成したヘッドユニット１１と、媒体に着弾した液滴に紫外線光を照射する紫外線ランプユニット５１とを備え、媒体上に解像度の低い下層と解像度の高い上層とを積層して目的画像を形成するとき、下層を形成するときに液滴を吐出してから紫外線ランプユニット５１によって紫外線光を照射するまでの第１時間は、上層を形成するときに液滴を吐出してから紫外線ランプユニット５１によって紫外線光を照射するまでの第２時間よりも長くする。【選択図】図１６
2015131420.tif 000002
【特許請求の範囲】
【請求項１】
活性エネルギー線硬化型液体の液滴を吐出する液体吐出ヘッドと、
媒体に着弾した前記液滴に前記活性エネルギー線を照射するエネルギー線照射手段と、を備え、
前記媒体上に、少なくとも解像度の低い下層と解像度の高い上層とを積層して目的画像を形成するとき、
前記下層を形成するときに前記液滴を吐出してから前記活性エネルギー線を照射するまでの第１時間は、前記上層を形成するときに前記液滴を吐出してから前記活性エネルギー線を照射するまでの第２時間よりも長い
ことを特徴とする画像形成装置。
【請求項２】
前記媒体の送り速度を変化させて前記第１時間を前記第２時間よりも長くすることを特徴とする請求項１に記載の画像形成装置。
【請求項３】
前記液体吐出ヘッドと前記活性エネルギー線照射手段との距離を変化させて前記第１時間を前記第２時間よりも長くすることを特徴とする請求項１又は２に記載の画像形成装置。
【請求項４】
液体吐出ヘッドから活性エネルギー線硬化型液体の液滴を媒体に吐出し、媒体に着弾した前記液滴に前記活性エネルギー線を照射して硬化させて画像を形成する画像形成方法であって、
前記媒体上に、少なくとも解像度の低い下層と解像度の高い上層とを積層して目的画像を形成するとき、
前記下層を形成するときに前記液滴を吐出してから前記活性エネルギー線を照射するまでの時間を、上層を形成するときに前記液滴を吐出してから前記活性エネルギー線を照射するまでの時間に対して調整する
ことを特徴とする画像形成方法。
【発明の詳細な説明】
【技術分野】
【０００１】
本発明は画像形成装置及び画像形成方法に関する。
【背景技術】
【０００２】
画像形成装置として、例えば液滴を吐出する液体吐出ヘッド（液滴吐出ヘッド）からなる記録ヘッドを用いた液体吐出記録方式の画像形成装置としてのインクジェット記録装置が知られている。
【０００３】
このような画像形成装置として、立体画像を形成したり、画像濃度を上げたりするために、紫外線硬化型インクなどの活性エネルギー線硬化型液体を使用して、液体層を順次硬化させながら積層して画像を形成するものがある。
【０００４】
ここで、印刷時間を短縮するために、複数の解像度によってインク層（液体層）を形成するものが知られている（特許文献１）。
【先行技術文献】
【特許文献】
【０００５】
【特許文献１】特開２００５−３２１３４３号公報
【発明の概要】
【発明が解決しようとする課題】
【０００６】
しかしながら、解像度の比較的低い層の上に比較的高い解像度で画像を形成した場合、低い層の凹凸の影響を受けて、本来の高解像度の画像を形成できないという課題がある。  
【０００７】
本発明は上記の課題に鑑みてなされたものであり、高画質画像を高い生産性で容易に形成できるようにすることを目的とする。
【課題を解決するための手段】
【０００８】
上記の課題を解決するため、本発明に係る画像形成装置は、
活性エネルギー線硬化型液体の液滴を吐出する液体吐出ヘッドと、
媒体に着弾した前記液滴に前記活性エネルギー線を照射するエネルギー線照射手段と、を備え、
前記媒体上に、少なくとも解像度の低い下層と解像度の高い上層とを積層して目的画像を形成するとき、
前記下層を形成するときに前記液滴を吐出してから前記活性エネルギー線を照射するまでの第１時間は、前記上層を形成するときに前記液滴を吐出してから前記活性エネルギー線を照射するまでの第２時間よりも長い
構成とした。
【発明の効果】
【０００９】
本発明によれば、高画質画像を高い生産性で容易に形成できるようになる。
【図面の簡単な説明】
【００１０】
【図１】本発明に係る搬送装置を含む画像形成装置の一例の模式的説明図である。
【図２】ヘッドユニットの一例をノズル面側から見た平面説明図である。
【図３】同ヘッドユニットを構成する１つのヘッドをノズル面側から見た平面拡大説明図である。
【図４】同じく１つのヘッド部分をノズル面側から見た平面拡大説明図である。
【図５】ヘッドユニットの他の例をノズル面側から見た平面説明図である。
【図６】同ヘッドユニットを構成する１つの液体吐出ヘッドをノズル面側から見た平面拡大説明図である。
【図７】ヘッドユニットの配列の概要の説明に供する平面説明図である。
【図８】同じく正面説明図である。
【図９】ヘッドユニットの移動機構の説明に供する正面説明図である。
【図１０】同じく平面説明図である。
【図１１】同装置の制御部のブロック説明図である。
【図１２】本実施形態における画像形成方法で形成した画像の模式的説明図である。
【図１３】比較例１による画像形成方法で形成した画像の模式的説明図である。
【図１４】比較例２による画像形成方法で形成した画像の模式的説明図である。
【図１５】下層の滴吐出から紫外線光の照射までの時間と上層の画像の凹凸感（官能評価）と十点平均粗さＲｚの関係についての評価結果の一例を示す説明図である。
【図１６】滴吐出から紫外線光の照射までの時間を可変する構成の一例の説明に供する要部説明図である。
【発明を実施するための形態】
【００１１】
以下、本発明の実施の形態について添付図面を参照して説明する。まず、本発明に係る画像形成装置の一例について図１を参照して説明する。図１は同画像形成装置の模式的説明図である。
【００１２】
この画像形成装置１は、画像形成部として、活性エネルギー線硬化型液体、例えば紫外線を照射することで硬化するインクの滴（インク滴）を吐出するヘッドを集積したヘッドユニット１１を備えている。このヘッドユニット１１の媒体搬送方向下流側には、活性エネルギー線照射手段である紫外線ランプユニット５１が配置されている。この紫外線ランプユニット５１によって媒体１４上に吐出されたインク滴に紫外線を照射することで、インク滴が硬化して媒体１４上に定着する。
【００１３】
また、図示しないが、ヘッドユニット１１の各ヘッドのメンテナンスを行うメンテナンスユニットを備えている。また、インクを供給するインクカートリッジ７Ｋ、７Ｃ、７Ｍ、７Ｙ（以下、区別しないときは「インクカートリッジ７」という。他の部材も同様である。）を備えている。また、インクカートリッジ７からのインクを一部貯蔵し、ヘッドユニット１１のヘッドに適切な圧力でインクを供給するサブインクタンク８Ｋ、８Ｃ、８Ｍ、８Ｙを備えている。
【００１４】
さらに、搬送機構として、ヘッドユニット１１に対向して媒体１４を吸着して搬送する搬送ベルト１３を有している。搬送ベルト１３は、搬送ローラ１９と従動ローラ２１との間に掛け回され、テンションローラ１５にて適切な張力を保つようにテンションが与えられている。搬送ベルト１３の内側には適切な平面性を保つためのプラテン部材２４が配置されている。また、媒体１４を吸着するための静電帯電を搬送ベルト１３に与える帯電ローラ１８が配置されている。
【００１５】
搬送機構の下流側には、媒体１４を搬送ベルト１３から分離させる分離爪２０と、排紙するための搬送を行う排紙ローラ１６と、媒体１４を押さえる排紙コロ１７と、排紙した媒体１４をストックしておく排紙トレイ４からなる排紙機構が配置されている。
【００１６】
搬送機構の上流側には、印写する媒体１４をストックする給紙トレイ３と、給紙トレイ３より一枚ずつ媒体１４を送り出す給紙コロ１２と、送られてきた媒体１４を搬送ベルト１３に確実に吸着させるカウンターローラ２３とからなる給紙機構が配置されている。また、手差しにて給紙した場合に用いられる手差しトレイ５を有している。
【００１７】
また、メンテナンス後に排出される廃液を回収する廃液タンク９や、装置を操作し装置状態を表示することができる操作パネル６も備えている。
【００１８】
各ヘッドユニット１１のノズル列は媒体１４の搬送方向に直交するように配列されており、記録領域以上の長さのノズル列を形成している。給紙トレイ３から媒体１４が給紙コロ１２にて一枚ずつ分離されて搬送ベルト１３に送り込まれる。
【００１９】
そして、搬送ベルト１３に吸着された媒体１４がヘッドユニット１１の下を通過するときに媒体１４に液滴が吐出されることで、高速で液滴にて媒体１４にパターンニングができる。このパターニングが終了すると、紫外線ランプユニット５１によりインクに紫外線が照射され、媒体１４上のインクが硬化し媒体１４に定着する。
【００２０】
その後、媒体１４の先端が分離爪２０にて搬送ベルト１３から分離され、排紙ローラ１６と排紙コロ１７にて支えられて排紙トレイ４に印刷物が排出される。
【００２１】
ここで、媒体１４に複数回、重ねてパターンニングするときには、パターニング後、媒体１４の後端部を排紙ローラ１６と排紙コロ１７に挟持した状態で給紙側に引き込み、搬送ベルト１３を介して手差しトレイ５に媒体１４を引き戻し搬送させる。
【００２２】
そして、再度、手差しトレイ５からヘッドユニット１１の下に給紙して、ヘッドユニット１１から液滴を吐出して所要のパターニングをし、紫外線ランプユニット５１により紫外線を照射して硬化定着させる。
【００２３】
この動作をパターニングの数だけ繰り返し、パターニングが終了すると、媒体１４を排紙トレイ４に排出する。
【００２４】
ここで、この画像形成装置の記録ヘッドを構成しているヘッドユニット１１の一例について図２ないし図４を参照して説明する。図２は同ヘッドユニットをノズル面側から見た平面説明図、図３は同ヘッドユニットを構成する１つのヘッドをノズル面側から見た平面拡大説明図、図４は同じく１つのヘッド部分をノズル面側から見た平面拡大説明図である。
【００２５】
ヘッドユニット１１は、ヘッド支持部材１００に６個の液体吐出ヘッド１０１Ａ〜１０１Ｆを、２列千鳥状に、ノズル面１０４に形成されたノズル１０２の並び方向（ノズル列１０３に沿う方向）に一部を重複させて配置して構成している。
【００２６】
１つのヘッド１０１は、液滴を吐出する複数のノズル１０２を並べて配置したノズル列１０３を２列千鳥状に配置したノズル面１０４を有している。
【００２７】
そして、ヘッド支持部材１００と液体吐出ヘッド１０１との間には、図４に示すように、充填剤１０５が充填されて密閉されており、ノズル面１０４側からの隙間をなくしている。
【００２８】
また、ヘッド支持部材１００とノズル面１０４はほぼ同一の平面に位置するように固定している。
【００２９】
つまり、ワイピング時にノズル面１０４とヘッド外周部材であるヘッド支持部材１００との間に段差があると、ワイパ１４０が段差に捕われ、ノズル面１０４に均等な力で接触できなくなり、ワイピングを行ったときに拭き残しが生じる。また、段差にはワイパブレードが接触できない死角が発生するためインクが溜りやすく、溜ったインクが印字中に媒体１４に落ちることで、画像品位を低下させる。さらに、段差があると局所的にワイパブレードにかかる圧力が高くなるため、ワイパブレードと接触部位との摩擦が高まり、耐久的にワイパブレードのノズル面接触端面の摩耗が引き起こされる。
【００３０】
次に、ヘッドユニット１１の他の例について図５及び図６を参照して説明する。図５は同ヘッドユニットをノズル面側から見た平面説明図、図６は同ヘッドユニットを構成する１つの液体吐出ヘッドをノズル面側から見た平面拡大説明図である。
【００３１】
ヘッドユニット１１は、ヘッド支持部材１００に６個のヘッド１１１Ａ〜１１１Ｆを２列千鳥状にノズルの並び方向（ノズル列に沿う方向）に一部を重複させて配置して構成している。
【００３２】
１つの液体吐出ヘッド１１１は、液滴を吐出する複数のノズル１１２を千鳥状に２列並べた複数列のノズル列１１３ａ〜１１３ｆを配置したノズル面１０４を有している。そして、ヘッド支持部材１００とヘッド１１１との間には前述したと同様に充填剤が充填されて密閉されており、ノズル面１０４側からの隙間をなくしている。
【００３３】
このヘッドユニット１１を用いた場合、ノズル列１１３ａ〜１１３ｆ毎にインクの色を異ならせることで装置を大型化することなく多色化が可能である。また、同じ色のインクを用いた場合、全ノズルの同時吐出ができないヘッドでは、複数のノズル列で吐出が可能となることから、同じインクを間引きなしに吐出が可能となり、印写速度を向上させることができる。
【００３４】
この構成のヘッドユニット１１で多色化を行った場合、隣接ノズル列の着弾位置精度が最も高くなるので、着弾位置を検知しやすい濃色インクをヘッドユニット１１の中央側に、淡色インクをヘッドユニット１１の外縁側に配置することが好ましい。
【００３５】
このように構成したこの画像形成装置においては、各ヘッドユニット１１のノズル列は媒体１４の搬送方向に直交するように配列されており、複数のヘッドが配置されることで記録領域以上の長さのノズル列を形成している。
【００３６】
また、ヘッドユニット１１は図示しないモータにより上下可能な構成にしており、パターニングの回数に応じてインクの厚みを考慮してヘッドと媒体１４との垂直方向の距離を調整可能としている。
【００３７】
なお、液体吐出ヘッドとしては、電歪素子に電圧を印加して電歪素子を変形させることで液滴を吐出する圧電型ヘッド、電熱変換素子に電流を流すことで発熱させて、発熱により液体を発泡させることで液滴を吐出するサーマル型ヘッドを用いることができる。また、振動板と電極間の静電力で振動板を変形させ機械的は振動板の復元力で液滴を吐出させる静電型ヘッドなどを用いることもできる。つまり、液滴を吐出させるアクチュエータ手段（圧力発生手段）は限定されるものではない。
【００３８】
圧電型ヘッドでは、圧電素子を駆動する駆動波形を調整することで、様々な大きさの液滴を吐出させることができ、階調性が良好な画像を形成するのに有利である。一方、サーマル型ヘッドは、ノズルの高集積化が容易であるため、多ノズルヘッドの作製に向いていることから、解像度が高い画像を高速で印刷するのに有利である。
【００３９】
また、液体吐出ヘッドは、液流路から吐出口（ノズル）にかけての形状が直線的であるエッジシュータ方式であっても良いし、液流路の向きと吐出口の向きが異なるサイドシュータ方式であっても良い。
【００４０】
次に、ヘッドユニット１１の配列の概要について図７及び図８を参照して説明する。図７は同説明に供する平面説明図、図８は正面説明図である。
【００４１】
ヘッドユニット１１Ａ〜１１Ｄは画像形成位置に配置している。
【００４２】
ヘッドユニット１１ＡＣ〜１１ＤＣは、コンポジットブラックが形成可能なカラーヘッドであり、例えばシアン、マゼンタ、イエロー、ライトシアン、ライトマゼンタの少なくともいずれか２色が吐出可能なヘッドユニットである。
【００４３】
ヘッドユニット１１ＡＢ〜１１ＤＢは、ブラックインクヘッドであり、例えばブラック、つや消しブラック、ライトブラックの少なくともいずれか一つが吐出可能なヘッドユニットである。
【００４４】
ヘッドユニット１１Ａ〜１１Ｄから搬送ベルト１３上の吐出可能な領域２６Ａ〜２６Ｄは、媒体の全面となるように位置している。
【００４５】
搬送ベルト１３は、図７で媒体１４を媒体搬送方向に搬送する。
【００４６】
また、それぞれのヘッドユニット１１ＡＣ〜１１ＤＣ及びヘッドユニット１１ＡＢ〜１１ＤＢの位置は、メンテナンスユニット１０から吐出可能な領域２６Ａ〜２６Ｄの間で自由に移動可能なように構成している。
【００４７】
また、各ヘッドユニット１１ＡＣ〜１１ＤＣ及びヘッドユニット１１ＡＢ〜１１ＤＢは、搬送経路の外側に配置された、各ヘッドの吐出の維持又は回復動作を行うメンテナンスユニット１０Ａ〜１０Ｈの位置まで、媒体搬送方向と直交する方向に移動可能である。
【００４８】
このように、搬送経路の外側で維持回復動作を行えるので、印字中にも維持又は回復が可能である。なお、維持又は回復は、「メンテナンス」又は「維持回復」とも言うが同等な意味に用いる。維持動作とは、吐出を連続して行うための動作であり、例えば非記録領域にインク滴を吐出する空吐出動作を意味する。回復動作とはヘッドの不吐出部を再度吐出可能にするためにヘッド面を吸引してインクを排出させたり、供給口からインクを加圧供給し、ヘッドからインクを排出させたり、その後、ヘッドに付着している余分なインクをふき取る等の動作を意味する。
【００４９】
ヘッドユニット１１に対応するメンテナンスユニット１０は、キャップ１４９と空吐出受け１４１、ワイパ１４０及びそれらの上下動のためのフレームと駆動源（図示していない）、キャップ吸引経路とその吸引ポンプからなっている。
【００５０】
メンテナンス動作は、メンテナンスユニット１０の近傍にて実施される。メンテナンス動作は、空吐出と吸引動作とワイピングで構成しているが、これに限定するものではない。例えば、キャップによる吸引の代わりに、インク供給口からインクを加圧供給して、インクをヘッドから排出するようにしてもよい。
【００５１】
このようなヘッドユニット１１の移動はシリアル型画像形成装置と同様に行われる。
【００５２】
ヘッドユニット１１の移動機構について図９及び図１０も参照して説明する。図９は同説明に供する正面説明図、図１０は同じく平面説明図である。
【００５３】
ヘッドユニット１１にはエンコーダ読み取りセンサ１４６とベルトクリップが設けられており、エンコーダ読み取りセンサ１４６はリニアエンコーダシート１４２を検知できるように、リニアエンコーダシート１４２とヘッドユニット１１との隙間に通している。
【００５４】
また、ヘッドユニット１１はガイドロット２５に移動可能に支持されている。そして、ヘッドユニット移動モータ１４４とテンションローラ１４５の間に張られたヘッドユニット移動ベルト１４３をヘッドユニット１１に設けられたベルトクリップ１４７にて咥えてベルト１４３の移動をヘッドユニット１１に伝達している。
【００５５】
また、ヘッドユニット１１にインクを供給するインク供給チューブ１４８は、ヘッドユニット１１の動きに応じて変形可能であり、最大のインクの消費でもインクを供給するのに十分である低い流体抵抗となるように断面積が設定されている。
【００５６】
次に、この装置の制御部の概要について図１１を参照して説明する。図１１同制御部のブロック説明図である。
【００５７】
制御部３００は、装置全体の制御を司るＣＰＵ３０１と、ＣＰＵ３０１が実行するプログラム、駆動波形データ、その他の固定データを格納するＲＯＭ３０２と、画像データ等を一時格納するＲＡＭ３０３とを備えている。
【００５８】
また、装置の電源が遮断されている間もデータを保持するための不揮発性メモリ（ＮＶＲＡＭ）３０４と、画像データに対する各種信号処理、並び替え等を行う画像処理やその他装置全体を制御するための入出力信号を処理するＡＳＩＣ３０５とを備えている。
【００５９】
また、ホスト側とのデータ、信号の送受を行うためのＩ／Ｆ３０６と、ヘッドユニット１１の各ヘッドの圧力発生手段を駆動制御するための駆動波形を生成するヘッド制御部３０７とを備えている。
【００６０】
また、媒体搬送モータ３０９を駆動するための媒体搬送モータ駆動部３０８と、ヘッドユニット（キャリッジ）移動モータ３１１を駆動するためのヘッドユニット移動モータ駆動部３１０とを備えている。
【００６１】
また、維持ユニット移動モータ３１３を駆動するための維持ユニット移動モータ駆動制御部３１２と、インク経路の電磁弁３１５を開閉制御するためのインク経路バルブ制御部３１４とを備えている。また、キャップ吸引モータ３１７やインク供給モータ３１８の駆動を制御する送液吸引モータ駆動制御部３１６を備えている。
【００６２】
また、紫外線ランプユニット５１の点灯制御をするランプユニット駆動制御部３５１を備えている。
【００６３】
また、搬送ベルト１３の移動量及び移動速度に応じた検知信号を出力するエンコーダや、環境温度及び環境湿度（いずれか一方でも良い）を検出するセンサなどの各種センサ３２３からの検知信号を入力するＩ／Ｏ３２２を備えている。
【００６４】
この制御部３００には、この装置に必要な情報の入力及び表示を行なうための操作パネル６が接続されている。
【００６５】
制御部３００は、パーソナルコンピュータ等の情報処理装置、イメージスキャナなどの画像読み取り装置、デジタルカメラなどの撮像装置などのホスト側からの印刷データ等をケーブル或いはネットを介してＩ／Ｆ３０６で受信する。 
【００６６】
そして、ＣＰＵ３０１は、Ｉ／Ｆ３０６に含まれる受信バッファ内の印刷データを読み出して解析し、ＡＳＩＣ３０５にて必要な画像処理、データの並び替え処理等を行い、ヘッドユニット１１のヘッド幅の１ページ分に相当する画像データ（ドットパターンデータ）を、クロック信号に同期して、ヘッド制御部３０７に送出する。
【００６７】
ヘッド制御部３０７は、ヘッド駆動情報をヘッド駆動制御部３２１に転送する。ヘッド駆動制御部３２１は、ページ単位で入力されるヘッドユニット１１の１ページ分に相当する画像データ（ドットパターンデータ）に基づいて選択的にヘッドユニット１１の各ヘッド１０１（又はヘッド１１１でもよい。）の圧力発生手段に印加してヘッドユニット１１の各ヘッド１０１を駆動する。
【００６８】
また、ヘッド制御部３０７は、ＣＰＵ３０１より発された液滴検知の命令を液滴検知制御部３２０に転送し、液滴検知制御部３２０は命令のタイミングに従って液滴検知装置３２４を制御する。液滴検知装置３２４は、発光手段である発光部３２５、受光手段である受光部３２６、光軸偏向装置３２７を通じてヘッドユニット１１の各ヘッド１０１からの液滴の吐出状態を検知し、検知結果に基づいて得られる検出データを液滴検知制御部３２０を介してＣＰＵ３０１へ転送する。
【００６９】
次に、インクについて説明する。
【００７０】
インクに用いられる色材として、顔料、染料のいずれでも用いることができ、混合して用いることもできる。
【００７１】
インクに用いる水分散性着色剤は特に限定されないが、顔料表面に少なくとも１種の親水基が直接若しくは他の原子団を介して結合するような処理がなされたことにより分散剤なしに水に分散可能となった顔料であるか、もしくは樹脂微粒子に水不溶性または難溶性の色材を含有させてなるポリマーエマルジョン、また界面活性剤もしくは平均分子量５００００以下の水溶性高分子化合物を単独もしくは併用することによって分散安定化された顔料の水分散着色剤を、単独もしくは併用することが好ましい。
【００７２】
用いる顔料種は特に限定されないが、有機顔料や無機顔料を用いることができ、特に比重の面で有機顔料が好適に用いられる。
【００７３】
また、これら顔料は複数種類を混合して用いても良い。
【００７４】
これらの顔料の粒子径は０．０１〜０．３０μｍで用いることが好ましく、０．０１μｍ以下では粒子径が染料に近づくため、耐光性、フェザリングが悪化してしまう。また、０．３０μｍ以上では、吐出口の目詰まりや装置内のフィルタでの目詰まりが発生し、吐出安定性を得ることができない。
【００７５】
このような水分散性着色剤は色材分子が集合状態（結晶状態を含む）であるか樹脂分子と共存しており単分子で存在していないため、耐水性、耐光性、耐ガス性に優れており、このような着色剤を用いると画像保存性を向上することが可能となる。
【００７６】
特に、顔料表面に少なくとも１種の親水基が直接もしくは他の原子団を介して結合するような処理がなされたことにより分散剤なしに水に分散可能となった顔料、もしくは樹脂微粒子に水不溶性または難溶性の色材を含有させてなるポリマーエマルジョンを用いた場合、着色剤固形分に対するインク粘度が低く押さえられるため、水分散性樹脂や湿潤材を多く入れることが可能となる。
【００７７】
インクに用いる樹脂は特に限定されないが、水分散性樹脂は水分散着色剤との混和性からｐＨが６〜１１が好ましく、ｐＨが７〜９がより好ましい。
【００７８】
また分散性樹脂の特徴として平均粒子径が小さいものほど粘度が上昇する傾向がある。過剰な高粘度にならないためにも水分散性樹脂の平均粒子径は５０ｎｍ以上が好ましい。
【００７９】
さらに、液体吐出ヘッドのインク流路やノズル開口は小さいため、粒子径の大きな粒子がインク中に存在すると吐出性を悪化させることは知られている。インク吐出性を阻害させないために平均粒子径が５００ｎｍ以下が好ましく、特に１５０ｎｍ以下が好ましい。  
【００８０】
水分散性樹脂は水分散着色剤を紙面に定着させる働きを持つことが好ましく、定着性を向上させるためには最低造膜温度（ＭＦＴ）が２０℃以下であることが好ましい。しかし、ガラス転移点が−４０℃以下になると樹脂皮膜の粘稠性が強くなり印字物にタックが生じるため、ガラス転移点が−３０℃以上の水分散性樹脂であることが好ましい。
【００８１】
インクを所望の物性にするため、あるいは乾燥による記録ヘッドのノズルの詰まりを防止するためなどの目的で、色材の他に、水溶性有機溶媒を使用することが好ましい。
【００８２】
水溶性有機溶媒には湿潤剤、浸透剤が含まれる。湿潤剤は乾燥による記録ヘッドのノズルの詰まりを防止することを目的に添加される。これらの溶媒は、水とともに単独もしくは複数混合して用いられる。
【００８３】
また、浸透剤はインクと被記録材（媒体）の濡れ性を向上させ、浸透速度を調整する目的で添加される。浸透剤としては、ポリオキシエチレンアルキルフェニルエーテル系界面活性剤、アセチレングリコール系界面活性剤、フッ素系界面活性剤、シリコン系界面活性剤、ポリオキシエチレンアルキルエーテル系界面活性剤ならびにポリオキシエチレンポリオキシプロピレンアルキルエーテル系界面活性剤が例示でき、これらの化合物は液の表面張力を低下させることができるので、濡れ性を向上させ、浸透速度を高めることができる。
【００８４】
インクは防腐防黴剤を含有することができる。防腐防黴剤を含有することによって、菌の繁殖を押さえることができ、保存安定性、画質安定性を高めることができる。
【００８５】
また、インクは防錆剤を含有することができる。防錆剤を含有することによって、ヘッド等の接液する金属面に被膜を形成し、腐食を防ぐことができる。
【００８６】
また、インクは酸化防止剤を含有することができる。酸化防止剤を含有することによって、腐食の原因となるラジカル種が生じた場合にも酸化防止剤がラジカル種を消滅させることで腐食を防止することができる。
【００８７】
インクはｐＨ調整剤を含有することができる。インクのｐＨは３〜１１であることが好ましく、接液する金属部材の腐食防止の観点からは６〜１０であることがさらに好ましい。ｐＨ調整剤は本発明記録液のｐＨを好ましい範囲に調整することができる。
【００８８】
インクの表面張力は、２０〜６０ｍＮ／ｍであることが好ましく、被記録材との濡れ性と液滴の粒子化の両立の観点からは３０〜５０ｍＮ／ｍであることがさらに好ましい。
インクの粘度は、１．０〜２０．０ｍＰａ・ｓであることが好ましく、吐出安定性の観点からは２．０〜１０．０ｍＰａ・ｓであることがさらに好ましい。
【００８９】
次に、本実施形態における画像形成方法について図１２を参照して説明する。図２は同画像形成方法で形成した画像の模式的説明図である。
【００９０】
本実施形態では、媒体１４上に、少なくとも解像度の低い下層４０１と解像度の高い上層４０２とを積層して目的画像を形成する。例えば、３００ｄｐｉ×３００ｄｐｉの解像度で下層４０１をパターニングし、下層４０１上に６００ｄｐｉ×６００ｄｐｉの解像度で上層４０２をパターニングすることで、目的画像を形成する。
【００９１】
ここで、下層４０１の液滴を吐出した後紫外線光を照射するまでの第１時間は、上層４０２の液滴を吐出した後紫外線光を照射するまでの第２時間よりも長くしている。
【００９２】
これにより、下層４０１は液滴の着弾から硬化までの時間が長くなり、下層４０１の平坦性が向上するので、この下層４０１上に上層４０２を形成することで、所要の高い解像度の画像を得ることができる。一方、高い解像度の層を順次積層する場合よりも生産性を向上できる。
【００９３】
この本実施形態の作用効果について図１３及び図１４も参照して説明する。図１３は比較例１による画像形成方法で形成した画像の模式的説明図、図１４は比較例２による画像形成方法で形成した画像の模式的説明図である。
【００９４】
比較例１の画像形成方法は、最終解像度で複数の層を形成して目的画像を形成するものである。図１３に示す例では、６００ｄｐｉ×６００ｄｐｉの解像度で３層４０２Ａ、４０２Ｂ、４０２Ｃを順次硬化させながら積層してベタ画像の目的画像を形成している。
【００９５】
この場合、平均厚みを３０μｍに設定し、一滴当たりの液滴量を１８ｐｌにして３層パターニングを繰り返したときの表面粗さを示す十点平均粗さはＲｚ９であった。
【００９６】
比較例２の画像形成方法は、低解像度の下層と高解像度の上層とを順次硬化させながら形成して目的画像を形成し、滴吐出から紫外線光の照射までの第１時間を第２時間以上にするものである。図１４に示す例では、下層４０１は実施形態と同様に３００ｄｐｉ×３００ｄｐｉとし、上層４０２は実施形態と同様に６００ｄｐｉ×６００ｄｐｉとし、第１時間及び第２時間はいずれも１００ｍｓとした。
【００９７】
この場合、平均厚みを３０μｍに設定し、３００ｄｐｉの一滴当たりの滴量を７２ｐｌ、６００ｄｐｉの滴量を１８ｐｌにして２層パターニングを繰り返している。
このときの十点平均粗さはＲｚ１５であった。
【００９８】
これに対し、本実施形態では、３００ｄｐｉの下層４０１の滴吐出から紫外線光の照射までの第１時間を１５０ｍｓとし、６００ｄｐｉの上層４０２の滴吐出から紫外線光の照射までの第２時間を１００ｍｓとした。このときの十点平均粗さはＲｚ１０であった。この十点平均粗さは６００ｄｐｉで３層重ねたときとほぼ同様である。
【００９９】
このように、低解像度の下層については滴吐出から紫外線光照射までの時間を長くすることによって平坦性が向上し、この平坦な面に上層を形成することによって、高い解像度の画像を、最初から高い解像度の層を重ねる場合よりも効率的に形成することができる。
【０１００】
ここで、３００ｄｐｉの下層の滴吐出から紫外線光の照射までの時間と６００ｄｐｉ、１２００ｄｐｉの上層の画像の凹凸感（官能評価）と十点平均粗さＲｚの関係についての評価結果の一例を図１５に示している。
【０１０１】
ここでは、紫外線光の照射積算光量は５００ｍｊになるように調整している。
【０１０２】
この評価結果から、本評価に用いた条件では、３００ｄｐｉの画像を６００ｄｐｉの画像の下層として形成する場合は、１５０ｍｓ〜２５０ｍｓの間にすることで良好な画像を得られている。なお、上層については滴吐出から紫外線光照射までの時間を１００ｍｓとしている。
【０１０３】
同様に、３００ｄｐｉの画像を１２００ｄｐｉの画像の下層として形成する場合は、２００ｍｓ〜２５０ｍｓの間にすることで良好な画像を得られる。なお、上層については滴吐出から紫外線光照射までの時間を５０ｍｓとしている。
【０１０４】
なお、上記の条件は限定的なものではなく、媒体の濡れ広がり性（表面エネルギー）、インクの濡れ広がり性（表面エネルギー）、インクと媒体の表面エネルギーによる。媒体とインクとの関係を実験的に求め、不揮発メモリ（記憶手段）にテーブル化したデータを格納しておき、各条件でそのデータを下に滴吐出から紫外線光の照射までの時間を決定することが好ましい。
【０１０５】
次に、滴吐出から紫外線光の照射までの時間を可変する構成の一例について図１６を参照して説明する。
【０１０６】
ここでは、紫外線ランプユニット５１は、図示しない駆動手段によって、例えば実線図示の位置と二点鎖線図示の位置との間で、任意の位置で停止可能に、媒体搬送方向に移動可能に配置されている。
【０１０７】
これにより、ヘッドユニット１１と紫外線ランプユニット５１との間の距離を変化させることができ、滴吐出から紫外線光照射までの時間を調整することができる。例えば、紫外線ランプユニット５１を媒体搬送方向下流側に移動させてヘッドユニット１１との距離を長くするほど、滴吐出から紫外線光照射までの時間を長くすることができる。
【０１０８】
なお、この構成に限らず、媒体１４の送り速度を変化させることによっても滴吐出から紫外線光の照射までの時間を調整することができる。また、媒体の送り速度の変化とヘッドユニット１１と紫外線ランプユニット５１との間の距離の変化とを組み合わせることで、更に調整範囲は広がる。
【０１０９】
また、滴吐出から紫外線光の照射までの時間の調整方法は、例えば媒体にパターンを形成させているときは紫外線ランプユニット５１を消し、パターン形成後に、媒体を停止若しくは待機させた後、紫外線ランプユニット５１を点灯させて、パターンに紫外線光を照射させることによっても行うことができる。
【０１１０】
以上のように、本実施形態では下層を低解像度にすることで層数を低減して生産性を上げるとともに上層の高解像度の画質のまま画像を形成できる。
【０１１１】
なお、本願において、「用紙」とは材質を紙に限定するものではなく、媒体、被記録媒体、記録媒体、記録紙、記録用紙などと称されるものを含む。また、画像形成、記録、印字、印写、印刷はいずれも同義語とする。
【０１１２】
また、「画像形成装置」は、媒体に液体を吐出して画像形成を行う装置を意味する。また、「画像形成」とは、文字や図形等の意味を持つ画像を媒体に対して付与することだけでなく、パターン等の意味を持たない画像を媒体に付与すること（単に液滴を媒体に着弾させること）をも意味する。
【０１１３】
また、「インク」とは、画像形成を行うことができるすべての液体の総称として用いる。
【０１１４】
また、「画像」とは平面的なものに限らず、立体的に形成されたものに付与された画像、また立体自体を三次元的に造形して形成された像も含まれる。
【０１１５】
また、画像形成装置には、特に限定しない限り、シリアル型画像形成装置及びライン型画像形成装置のいずれも含まれる。
【符号の説明】
【０１１６】
１１  ヘッドユニット
１３  搬送ベルト
１４  媒体
５１  紫外線ランプユニット
【図１】
2015131420.tif 000003
【図２】
2015131420.tif 000004
【図３】
2015131420.tif 000005
【図４】
2015131420.tif 000006
【図５】
2015131420.tif 000007
【図６】
2015131420.tif 000008
【図７】
2015131420.tif 000009
【図８】
2015131420.tif 000010
【図９】
2015131420.tif 000011
【図１０】
2015131420.tif 000012
【図１１】
2015131420.tif 000013
【図１２】
2015131420.tif 000014
【図１３】
2015131420.tif 000015
【図１４】
2015131420.tif 000016
【図１５】
2015131420.tif 000017
【図１６】
2015131420.tif 000018